(57)【要約】【課題】車両が走行中であるときに乗員が携帯電話機を操作することを回避する。【解決手段】車載通信システム１は、車両ナビゲーション装置２と携帯電話機３とが両者の間でＢＴ通信回線を接続しており、乗員が車両ナビゲーション装置２の操作スイッチ群１０や操作リモコン２２を操作することで携帯電話機３の動作を制御可能な状態では、車両が走行中である判定すると、乗員からの携帯電話機３に対する操作の受付を禁止する。【選択図】図１
2011223511.tif 000002
【特許請求の範囲】
【請求項１】
車両に搭載されている車載装置と乗員が携帯可能な携帯機器とが両者の間で近距離無線通信回線を接続している状態で乗員が前記車載装置を操作することで前記携帯機器の動作を制御可能に構成されている車載通信システムであって、
車載装置と携帯機器とが両者の間で近距離無線通信回線を接続している状態で車両が走行中であるか否かを判定する走行中判定手段と、
車両が走行中であると前記走行中判定手段により判定された場合に、乗員からの前記携帯機器に対する操作の受付を禁止する制御手段と、を備えたことを特徴とする車載通信システム。
【請求項２】
請求項１に記載した車載通信システムにおいて、
前記制御手段は、乗員からの前記携帯機器に対する操作の受付を禁止した場合に、乗員からの前記携帯機器に対する操作の受付を禁止した旨を通知手段から通知することを特徴とする車載通信システム。
【請求項３】
請求項１又は２に記載した車載通信システムにおいて、
前記制御手段は、乗員からの前記携帯機器に対する操作の受付を禁止している状態で、車両が走行中でないと前記走行中判定手段により判定された場合に、乗員からの前記携帯機器に対する操作の受付禁止を解除することを特徴とする車載通信システム。
【請求項４】
請求項１乃至３の何れかに記載した車載通信システムにおいて、
乗員による暗証番号の入力操作を受付ける暗証番号入力操作受付手段と、
前記暗証番号入力操作受付手段により入力操作が受付けられた暗証番号の正否を判定する暗証番号の暗証番号正否判定手段と、を備え、
前記制御手段は、乗員からの前記携帯機器に対する操作の受付を禁止している状態で、前記暗証番号入力操作受付手段により入力操作が受付けられた暗証番号が正であると前記暗証番号正否判定手段により判定された場合に、乗員からの前記携帯機器に対する操作の受付禁止を解除することを特徴とする車載通信システム。
【請求項５】
請求項３又は４に記載した車載通信システムにおいて、
前記制御手段は、乗員からの前記携帯機器に対する操作の受付禁止を解除した場合に、乗員からの前記携帯機器に対する操作の受付禁止を解除した旨を通知手段から通知することを特徴とする車載通信システム。
【発明の詳細な説明】
【技術分野】
【０００１】
本発明は、車両に搭載されている車載装置と乗員が携帯可能な携帯機器とが両者の間で近距離無線通信回線を接続している状態で、乗員が前記車載装置を操作することで前記携帯機器の動作を制御可能に構成されている車載通信システムに関する。
【背景技術】
【０００２】
乗員が携帯可能な携帯機器が車室内に持ち込まれ、その車室内に持ち込まれた携帯機器と車両に搭載されている車載装置とが両者の間で近距離無線通信可能な近距離無線通信圏内に存在すると、両者の間で近距離無線通信回線を自動的に接続する構成が開示されている（例えば特許文献１参照）。
【先行技術文献】
【特許文献】
【０００３】
【特許文献１】特開２００２−１９３０４６号公報
【発明の概要】
【発明が解決しようとする課題】
【０００４】
ところで、上記したような車載装置と携帯機器とが連携するシステムにおいて、車載装置と携帯機器とが両者の間で近距離無線通信回線を接続している状態では、乗員が車載装置を操作することで携帯機器の動作を制御可能に構成されている。例えば携帯機器に登録されている電話帳リストが当該携帯機器から車載装置に転送されて当該車載装置の表示装置に表示されることで、車載装置の表示装置に表示される電話帳リストを操作して検索したり、車載装置の表示装置に発信釦がタッチ釦として形成されることで、その発信釦を押下して携帯機器から発信したりすることが可能となっている。
【０００５】
このように車載装置と携帯機器とが両者の間で近距離無線通信回線を接続している状態では、乗員は携帯機器を操作しなくとも車載装置を操作することで携帯機器の動作を制御可能となるが、例えば習慣から携帯機器を操作してしまうことが少なくない。その一方で、車両が走行中であるときに乗員（特に運転者）が携帯機器を操作することは好ましくない。
【０００６】
本発明は、上記した事情に鑑みてなされたものであり、その目的は、車両が走行中であるときに乗員が携帯機器を操作することを回避することができ、安全性を適切に確保することができる車載通信システムを提供することにある。
【課題を解決するための手段】
【０００７】
請求項１に記載した発明によれば、走行中判定手段は、車載装置と携帯機器とが両者の間で近距離無線通信回線を接続している状態で車両が走行中であるか否かを判定し、制御手段は、車両が走行中であると走行中判定手段により判定されると、乗員からの携帯機器に対する操作の受付を禁止する。これにより、車載装置と携帯機器とが両者の間で近距離無線通信回線を接続している状態、即ち、乗員が車載装置を操作することで携帯機器の動作を制御可能な状態で車両が走行中であると、乗員からの携帯機器に対する操作の受付を禁止することで、車両が走行中であるときに乗員が携帯機器を操作することを回避することができ、安全性を適切に確保することができる。又、車載装置と携帯機器とが両者の間で近距離無線通信回線を接続している状態では乗員が車載装置を操作することで携帯機器の動作を制御可能であるので、乗員からの携帯機器に対する操作の受付を禁止することで、乗員が車載装置を操作することで携帯機器の動作を制御可能であるという優位性を活かし、乗員が携帯機器を操作するのではなく車載装置を操作するように促すこともできる。
【０００８】
請求項２に記載した発明によれば、制御手段は、乗員からの携帯機器に対する操作の受付を禁止すると、乗員からの携帯機器に対する操作の受付を禁止した旨を通知手段から通知する。これにより、乗員からの携帯機器に対する操作の受付を禁止した旨を乗員に対して通知することができる。
【０００９】
請求項３に記載した発明によれば、制御手段は、乗員からの携帯機器に対する操作の受付を禁止している状態で、車両が走行中でないと走行中判定手段により判定されると、乗員からの携帯機器に対する操作の受付禁止を解除する。これにより、車両が走行中でないと、乗員からの携帯機器に対する操作の受付禁止を解除することで、乗員からの携帯機器に対する操作を許容することができる。
【００１０】
請求項４に記載した発明によれば、暗証番号入力操作受付手段は、乗員による暗証番号の入力操作を受付け、暗証番号正否判定手段は、暗証番号入力操作受付手段により入力操作が受付けられた暗証番号の正否を判定する。制御手段は、乗員からの携帯機器に対する操作の受付を禁止している状態で、暗証番号入力操作受付手段により入力操作が受付けられた暗証番号が正であると暗証番号正否判定手段により判定されると、乗員からの携帯機器に対する操作の受付禁止を解除する。これにより、車両が走行中であっても、乗員が正確な暗証番号を入力することで、乗員からの携帯機器に対する操作の受付禁止を解除することができる。
【００１１】
請求項５に記載した発明によれば、制御手段は、乗員からの携帯機器に対する操作の受付禁止を解除すると、乗員からの携帯機器に対する操作の受付禁止を解除した旨を通知手段から通知する。これにより、乗員からの携帯機器に対する操作の受付禁止を解除した旨を乗員に対して通知することができる。
【図面の簡単な説明】
【００１２】
【図１】本発明の一実施形態を示すものであり、車両ナビゲーション装置及び携帯電話機の構成を示す機能ブロック図
【図２】全体構成図
【図３】処理の流れを示すシーケンス図
【図４】図３相当図
【図５】図３相当図
【図６】図３相当図
【図７】表示画面を示す図
【図８】図７相当図
【発明を実施するための形態】
【００１３】
以下、本発明の一実施形態について、図面を参照して説明する。図２は車載通信システムの全体構成を示している。車載通信システム１は、Ｂｌｕｅｔｏｏｔｈ（登録商標）（以下、ＢＴと称する）通信機能を有するＢＴ対応の車両ナビゲーション装置２（本発明でいう車載装置）が車両に搭載されており、ＢＴ通信機能を有するＢＴ対応の携帯電話機３（本発明でいう携帯機器）が車室内に持込まれると、車両ナビゲーション装置２と携帯電話機３とがＢＴ通信可能に構成されている。
【００１４】
車両ナビゲーション装置２と携帯電話機３とは、両者の間でＢＴ通信回線を接続している状態ではＢＴの通信規格で規定されている複数のプロファイルを接続可能であり、例えばダイヤルアップ・ネットワーク・プロファイル（ＤＵＰ）やシリアル・ポート・プロファイル（ＳＰＰ）等を接続可能である。尚、車両ナビゲーション装置２と携帯電話機３とが両者の間で複数のプロファイルを同時接続（所謂マルチプロファイル接続）可能であっても良い。又、プロファイルとは機能毎に定義された通信プロトコルを意味している。
【００１５】
携帯電話機３は、センター側に設置されているセンター装置４との間でキャリア（通信事業者）５を通じて広域通信回線を接続可能であり、センター装置４との間で広域通信回線を接続している状態で広域通信可能である。センター装置４は、複数のコンテンツサービスプロバイダ６を接続しており、携帯電話機３との間で広域通信回線を接続している状態で、それら複数のコンテンツサービスプロバイダ６から提供されるコンテンツを広域通信によりキャリア５を通じて携帯電話機３に配信可能である。コンテンツサービスプロバイダ６から提供されるコンテンツとしては、例えばニュース情報、交通情報、天気情報、旅行情報、音楽情報及び娯楽情報等がある。
【００１６】
図１は車両ナビゲーション装置２及び携帯電話機３の構成を機能ブロック図により示している。車両ナビゲーション装置２は、制御部７（本発明でいう走行中判定手段、暗証番号正否判定手段）、位置検出器８、記録媒体装着部９、操作スイッチ群１０（本発明でいう暗証番号入力操作受付手段）、通信装置１１、ＢＴ通信部１２、外部メモリ１３、表示装置１４（本発明でいう通知手段）、音声コントローラ１５、音声認識部１６、リモコンセンサ１７及び外部装置インタフェース部１８を備えて構成されている。
【００１７】
制御部７は、周知のマイクロコンピュータからなるＣＰＵ、ＲＡＭ、ＲＯＭ及びＩ／Ｏバス等を有し、制御プログラムを実行して装置全体の動作を制御する。位置検出器８は、Ｇセンサ８ａ、ジャイロスコープ８ｂ、距離センサ８ｃ及びＧＰＳ受信機８ｄを備えて構成され、これらの各構成要素は互いに性質の異なる検出誤差を有している。制御部７は、これら各構成要素から入力した検出信号を互いに補完して車両の現在位置を検出（特定）する。この場合、位置検出器８は、要求される検出精度で車両の現在位置を検出可能であれば、これら全ての構成要素を備える必要はなく、又、ステアリングの舵角を検出するステアリングセンサや各車輪の回転を検出する車輪センサ等が組合わされて構成されていても良い。
【００１８】
記録媒体装着部９は、ＣＤ−ＲＯＭ、ＤＶＤ−ＲＯＭ、メモリカード又はＨＤＤ等の記録媒体１９を装着する。記録媒体１９は、地図データ、道路データ、目印データ及びマップマッチング用データ等を記録している。操作スイッチ群１０は、表示装置１４の周辺に配置されているメカニカル釦や表示装置１４に形成されるタッチ釦から構成され、乗員が何れかの釦を操作すると、その操作内容を示す操作検出信号を制御部７に出力する。
【００１９】
通信装置１１は、例えばＶＩＣＳ（登録商標）装置から送信されたＶＩＣＳ情報を受信する等の広域通信を行う。ＢＴ通信部１２は、携帯電話機３との間でＢＴ通信回線を接続し、ＢＴ通信回線を接続している状態でＢＴ通信を行う。外部メモリ１３は、ＨＤＤ等の大容量記憶装置から構成され、大容量のデータを記憶する。表示装置１４は、例えば液晶ディスプレイ装置から構成され、メニュー画面や目的地設定画面等の各種表示画面を表示すると共に、車両の現在位置を示す現在位置マークや走行軌跡等を地図データの地図上に重畳表示する。尚、表示装置１４は、有機ＥＬやプラズマディスプレイ装置等から構成されていても良い。
【００２０】
音声コントローラ１５は、音声認識部１６の動作を制御すると共に、スピーカ２０（本発明でいう通知手段）からの例えば経路案内ガイダンスや警告ガイダンス等の音声出力を制御する。音声認識部１６は、マイク２１が入力した音声を音声認識アルゴリズムにしたがって音声認識する。リモコンセンサ１７は、操作リモコン２２（本発明でいう暗証番号入力操作受付手段）から送信された操作検出信号を受信し、乗員が操作リモコン２２により行った操作内容を検出し、その検出した操作内容を示す操作検出信号を制御部７に出力する。
【００２１】
外部装置インタフェース部１８は、車両に搭載されている各種ＥＣＵや各種センサと車載ＬＡＮ２３を通じて接続されており、各種ＥＣＵや各種センサとの間で各種データや各種信号を入出力する。この場合、外部装置インタフェース部１８は、車速を検出する車速センサ、車両の加速度を検出する加速度センサ、アクセルの開度を検出するアクセル開度センサ及びブレーキの動作を検出するブレーキ動作センサと車載ＬＡＮ２３を通じて接続されており、車速センサから車速を示す車速信号を入力し、加速度センサから車両の加速度を示す加速度信号を入力し、アクセル開度センサからアクセルの開度を示すアクセル開度信号を入力し、ブレーキ動作センサからブレーキの動作を示すブレーキ動作信号を入力すると、それら入力した各種信号を制御部７に出力する。
【００２２】
制御部７は、外部装置インタフェース部１８から各種信号を入力すると、それら入力した各種信号に基づいて車両が走行中であるか非走行中であるかを判定する。この場合、制御部７は、例えば車両が走行中であるか非走行中であるかの判定基準としては乗員が運転中であるか非運転中であるかを目安として判定し、例えば車両が交差点で信号待ちしているような場合には車両の物理的な移動距離が零であるが走行中であると判定しても良い。又、イグニッションスイッチのオンオフを示すイグニッション信号、乗員が座席に着座しているか否かを示す着座信号等にも基づいて車両が走行中であるか非走行中であるかを判定しても良い。
【００２３】
上記した制御部７は、車両の現在位置と地図データに含まれている道路データとを使用して車両の現在位置が存在する道路をマップマッチングして特定するマップマッチング機能、マップマッチングして特定した車両の現在位置から乗員が設定した目的地までの経路を探索する経路探索機能、探索した経路及び地図データに含まれている道路データや交差点の位置データ等に基づいて経路案内に必要な地点を算出して経路案内する経路案内機能、車両の現在位置周辺の地図や高速道路の略図や交差点付近の拡大図等を描画する描画機能等のナビゲーションを行うための周知の機能を備えている。
【００２４】
携帯電話機３は、制御部２４（本発明でいう制御手段、暗証番号正否判定手段）、広域通信部２５、ＢＴ通信部２６、操作部２７（本発明でいう暗証番号入力操作受付手段）、表示装置２８、メモリ２９、音声処理部３０及びバッテリ残容量検出部３１を備えて構成されている。制御部２４は、周知のマイクロコンピュータからなるＣＰＵ、ＲＡＭ、ＲＯＭ及びＩ／Ｏバス等を有し、制御プログラムを実行して装置全体の動作を制御する。広域通信部２５は、センター装置４との間で広域通信を行う。ＢＴ通信部２６は、車両ナビゲーション装置２との間でＢＴ通信回線を接続し、ＢＴ通信回線を接続している状態でＢＴ通信を行う。
【００２５】
操作部２７は、電源キーや「０」〜「９」の数字キー等の各種キーを有し、乗員が何れかのキーを操作すると、その操作内容を示す操作検出信号を制御部２４に出力する。表示装置２８は、例えば液晶ディスプレイ装置から構成され、待受画面や着信通知画面等の各種表示画面を表示する。メモリ２９は、例えば電話番号と登録名との対応を示す電話帳データ等の各種データを記憶するデータ記憶領域を有すると共に、センター装置４から広域通信部２５により受信した各種コンテンツを記憶するコンテンツ記憶領域を有して構成されている。
【００２６】
音声処理部３０は、ユーザが発した音声を送話音声として入力するマイク３２と、通話相手からの音声を受話音声として出力するスピーカ３３とを接続しており、マイク３２から入力した送話音声を送話処理すると共に、スピーカ３３から出力する受話音声を受話処理する。バッテリ残容量検出部３１は、携帯電話機３の動作電力源であるバッテリ３４の残容量を検出し、その検出したバッテリ３４の残容量を示す残容量検出信号を制御部２４に出力する。
【００２７】
この場合、制御部２４は、乗員からの携帯電話機３に対する操作の受付を禁止する操作受付禁止状態を選択的に設定可能であり、操作受付禁止状態を設定している状態では乗員からの携帯電話機３に対する操作を受付けず（操作を無効とし）、操作受付禁止状態を解除している状態では乗員からの携帯電話機３に対する操作を受付ける（操作を有効とする）ようになっている。
【００２８】
次に、上記した構成の作用について、図３乃至図８を参照して説明する。
携帯電話機３が車室内に持込まれたことで、車両ナビゲーション装置２と携帯電話機３とがＢＴ通信可能になると（両者がＢＴ通信圏内に存在すると）、車両ナビゲーション装置２と携帯電話機３とは両者の間でＢＴ通信回線接続要求及びＢＴ通信回線接続応答を送受信してＢＴ通信回線を接続するＢＴ通信回線接続処理を行う。この場合、車両ナビゲーション装置２と携帯電話機３とは両者の間で何れがＢＴ通信回線の接続を要求しても良く、即ち、車両ナビゲーション装置２がＢＴ通信回線接続要求を送信し、携帯電話機３がＢＴ通信回線接続応答を送信しても良いし、携帯電話機３がＢＴ通信回線接続要求を送信し、車両ナビゲーション装置２がＢＴ通信回線接続応答を送信しても良い。
【００２９】
尚、このように車両ナビゲーション装置２と携帯電話機３とが両者の間でＢＴ通信回線を接続している状態では、乗員が車両ナビゲーション装置２の操作スイッチ群１０や操作リモコン２２を操作することで携帯電話機３の動作を制御可能に構成されている。例えば携帯電話機３に登録されている電話帳リストが携帯電話機３から車両ナビゲーション装置２に転送されて当該車両ナビゲーション装置２の表示装置１４に表示されることで、乗員が車両ナビゲーション装置２の表示装置１４に表示される電話帳リストを操作可能であり、又、車両ナビゲーション装置２の表示装置１４に発信釦がタッチ釦として形成されることで、乗員が発信釦を押下して携帯電話機３から発信可能である。
【００３０】
車両ナビゲーション装置２において、制御部７は、ＢＴ通信部１２と携帯電話機３のＢＴ通信部２６とが両者の間でＢＴ通信回線を接続すると、車両が走行中であるか非走行中であるかを示す車両状態の送信タイミングになったか否かを判定し（ステップＡ１）、車両状態の送信タイミングになったと判定すると（ステップＡ１にて「ＹＥＳ」）、車両状態をＢＴ通信部１２から携帯電話機３に送信させる（ステップＡ２）。この場合、制御部２４は、車両状態を所定時間毎に送信させても良いし、車両状態が変化する毎に送信させても良い。
【００３１】
携帯電話機３において、制御部２４は、ＢＴ通信部２６と車両ナビゲーション装置２のＢＴ通信部１２とが両者の間でＢＴ通信回線を接続している状態では、車両ナビゲーション装置２から送信された車両状態をＢＴ通信部２６により受信することを待機している（ステップＢ１）。ここで、制御部２４は、車両ナビゲーション装置２から送信された車両状態をＢＴ通信部２６により受信したと判定すると（ステップＢ１にて「ＹＥＳ」）、その受信した車両状態に基づいて車両が走行中であるか非走行中であるかを判定する（ステップＢ２）。
【００３２】
ここで、制御部２４は、車両が走行中であると判定すると（ステップＢ２にて「ＹＥＳ」）、その時点で乗員からの携帯電話機３に対する操作の受付を禁止しているか、即ち、操作受付禁止状態を設定しているか否かを判定し（ステップＢ３）、操作受付禁止状態を設定していないと判定すると（ステップＢ３にて「ＮＯ」）、操作受付禁止状態を設定し（ステップＢ４）、操作受付禁止状態を設定した旨を示す設定通知をＢＴ通信部２６から車両ナビゲーション装置２に送信させる（ステップＢ５）。
【００３３】
車両ナビゲーション装置２において、制御部７は、携帯電話機３から送信された設定通知をＢＴ通信部１２により受信したと判定すると（ステップＡ３に「ＹＥＳ」）、乗員からの携帯電話機３に対する操作の受付を禁止した旨を示す表示画面を表示装置１４に表示させたり音声ガイダンスをスピーカ２０から音声出力させたりし、乗員からの携帯電話機３に対する操作の受付を禁止した旨を乗員に対して通知する（ステップＡ４）。
【００３４】
具体的には、制御部７は、図７に示すように、例えば車両の現在位置を示す現在位置マークを地図データの地図上に重畳表示する現在位置表示画面３５を表示装置１４に表示させている状態であれば、「携帯電話機の操作を禁止しました。」というような携帯電話機３に対する操作の受付を禁止した旨を示す受付禁止通知画面３６を現在位置表示画面３５上にポップアップ表示させる。尚、制御部７は、例えばビデオの再生を示すビデオ再生表示画面、音楽の再生を示す音楽再生表示画面、電子メールの着信通知を示す電子メール着信通知表示画面等の他の表示画面を表示装置１４に表示させている状態でも、受付禁止通知画面３６をポップアップ表示させる。
【００３５】
一方、制御部２４は、車両が走行中でない（非走行中である）と判定すると（ステップＢ２にて「ＮＯ」）、その時点で乗員からの携帯電話機３に対する操作の受付禁止を解除しているか、即ち、操作受付禁止状態を解除しているか否かを判定し（ステップＢ１１）、操作受付禁止状態を解除していないと判定すると（ステップＢ１１にて「ＮＯ」）、操作受付禁止状態を解除し（ステップＢ１２）、操作受付禁止状態を解除した旨を示す解除通知をＢＴ通信部２６から車両ナビゲーション装置２に送信させる（ステップＢ１３）。
【００３６】
車両ナビゲーション装置２において、制御部７は、携帯電話機３から送信された解除通知をＢＴ通信部１２により受信したと判定すると（ステップＡ１１に「ＹＥＳ」）、乗員からの携帯電話機３に対する操作の受付禁止を解除した旨を示す表示画面を表示装置１４に表示させたり音声ガイダンスをスピーカ２０から音声出力させたりし、乗員からの携帯電話機３に対する操作の受付禁止を解除した旨を乗員に対して通知する（ステップＡ１２）。
【００３７】
具体的には、制御部７は、図８に示すように、例えば車両の現在位置を示す現在位置マークを地図データの地図上に重畳表示する現在位置表示画面３５を表示装置１４に表示させている状態であれば、「携帯電話機の操作禁止を解除しました。」というような携帯電話機３に対する操作の受付禁止を解除した旨を示す受付禁止解除通知画面３７を現在位置表示画面３５上にポップアップ表示させる。
【００３８】
又、車両ナビゲーション装置２において、制御部７は、乗員による暗証番号入力操作を操作スイッチ群１０や操作リモコン２２により受付けたか否かを判定し（ステップＡ２１）、乗員による暗証番号入力操作を操作スイッチ群１０や操作リモコン２２により受付けたと判定すると（ステップＡ２１にて「ＹＥＳ」）、その乗員による暗証番号入力操作により受付けた暗証番号の正否を判定し（ステップＡ２２）、その乗員による暗証番号入力操作により受付けた暗証番号が正であると判定すると（ステップＡ２２にて「ＹＥＳ」）、解除要求をＢＴ通信部１２から携帯電話機３に送信させる（ステップＡ２３）。
【００３９】
携帯電話機３において、制御部２４は、車両ナビゲーション装置２から送信された解除要求をＢＴ通信部２６により受信したと判定すると（ステップＢ２１にて「ＹＥＳ」）、その時点で乗員からの携帯電話機３に対する操作の受付を禁止していないか否か、即ち、操作受付禁止状態を解除しているか否かを判定し（ステップＢ２２）、操作受付禁止状態を解除していないと判定すると（ステップＢ２２にて「ＮＯ」）、操作受付禁止状態を解除し（ステップＢ２３）、この場合も、操作受付禁止状態を解除した旨を示す解除通知をＢＴ通信部２６から車両ナビゲーション装置２に送信させる（ステップＢ１３）。
【００４０】
又、携帯電話機３において、制御部２４は、操作受付禁止状態を設定している状態で乗員による暗証番号入力操作だけを受付ける構成であれば、乗員による暗証番号入力操作を操作部２７により受付けたか否かを判定し（ステップＢ３１）、乗員による暗証番号入力操作を操作部２７により受付けたと判定すると（ステップＢ３１にて「ＹＥＳ」）、その乗員による暗証番号入力操作により受付けた暗証番号の正否を判定し（ステップＢ３２）、その乗員による暗証番号入力操作により受付けた暗証番号が正であると判定すると（ステップＢ３２にて「ＹＥＳ」）、この場合も、その時点で乗員からの携帯電話機３に対する操作の受付を禁止していないか否か、即ち、操作受付禁止状態を解除しているか否かを判定し（ステップＢ３３）、操作受付禁止状態を解除していないと判定すると（ステップＢ３３にて「ＮＯ」）、操作受付禁止状態を解除し（ステップＢ３４）、この場合も、操作受付禁止状態を解除した旨を示す解除通知をＢＴ通信部２６から車両ナビゲーション装置２に送信させる（ステップＢ１３）。
【００４１】
ところで、車両ナビゲーション装置２との間でＢＴ通信回線を接続可能な携帯電話機３が複数である場合には、それら複数の携帯電話機３のうちから運転者の携帯電話機３を車両ナビゲーション装置２が特定することで、運転者が所有する携帯電話機３に対しては上記したように操作受付禁止状態を選択的に設定し、一方、助手席や後部座席に着座した乗員が所有する携帯電話機３に対しては操作受付禁止状態を選択的に設定しないようにしても良い。
【００４２】
以上に説明したように本実施形態によれば、車載通信システム１において、車両ナビゲーション装置２と携帯電話機３とが両者の間でＢＴ通信回線を接続している状態では、車両が走行中である判定すると、乗員からの携帯電話機３に対する操作の受付を禁止するように構成したので、車両が走行中であるときに乗員が携帯電話機３を操作することを回避することができ、安全性を適切に確保することができる。又、このように車両ナビゲーション装置２と携帯電話機３とが両者の間でＢＴ通信回線を接続している状態で乗員が車両ナビゲーション装置２を操作することで携帯電話機３の動作を制御可能な構成では、乗員が車両ナビゲーション装置２を操作することで携帯電話機３の動作を制御可能であるという優位性を活かし、乗員が携帯電話機３を操作するのではなく車両ナビゲーション装置２を操作するように促すこともできる。
【００４３】
本発明は、上記した実施形態にのみ限定されるものではなく、以下のように変形または拡張することができる。
車載装置は、携帯電話機との間で近距離無線通信可能であれば、車両ナビゲーション装置に限らず、別の機能を有する車載装置であっても良い。
携帯機器は、車載装置との間で近距離無線通信可能であれば、携帯電話機に限らず、別の機能を有する携帯機器であっても良い。
車両ナビゲーション装置と携帯電話機とが両者の間でＢＴ通信を行うことに限らず、両者の間で他の近距離無線通信を行っても良い。
【００４４】
車両が走行中であるか否かを車両ナビゲーション装置が判定する構成に限らず、携帯電話機が判定する構成であっても良い。
携帯電話機に対する操作の受付を禁止した旨や携帯電話機に対する操作の受付禁止を解除した旨を車両ナビゲーション装置により通知することに限らず、携帯電話機により通知しても良いし、車両ナビゲーション装置と携帯電話機との双方により通知しても良い。
【００４５】
携帯電話機において、設定した操作受付禁止状態を解除した場合に、操作受付禁止状態を解除する時間に制限を設けるようにしても良い。即ち、例えば乗員が解除時間として「１分」、「３分」、「５分」、「無制限」等を選択可能とし、設定した操作受付禁止状態を解除した後に、その乗員が予め選択しておいた解除時間が経過すると、操作受付禁止状態を再度設定するようにしても良い。又、このように操作受付禁止状態を解除する時間に制限を設けることに限らず、設定した操作受付禁止状態を解除した後に、所定以上の加速度を検出した場合に、操作受付禁止状態を再度設定するようにしても良い。
【００４６】
携帯電話機において、例えば電子メールを受信中にある等の何らかのアプリケーションを実行中にある場合には当該アプリケーションを終了した後に操作受付禁止状態を設定するようにしても良い。
乗員による暗証番号入力操作を車両ナビゲーション装置や携帯電話機により受付けたことに応じて操作受付禁止状態を解除することに限らず、音声認識の機能を利用し、乗員が発した音声が正である（予め登録されている音声と一致する）ことに応じて操作受付禁止状態を解除するようにしても良い。
【符号の説明】
【００４７】
図面中、１は車載通信システム、２は車両ナビゲーション装置（車載装置）、３は携帯電話機（携帯機器）、７は制御部（走行中判定手段、暗証番号正否判定手段）、１０は操作スイッチ群（暗証番号入力操作受付手段）、１４は表示装置（通知手段）、２０はスピーカ（通知手段）、２２は操作リモコン（暗証番号入力操作受付手段）、２４は制御部（制御手段、暗証番号正否判定手段）、２７は操作部（暗証番号入力操作受付手段）である。
【図１】
2011223511.tif 000003
【図２】
2011223511.tif 000004
【図３】
2011223511.tif 000005
【図４】
2011223511.tif 000006
【図５】
2011223511.tif 000007
【図６】
2011223511.tif 000008
【図７】
2011223511.tif 000009
【図８】
2011223511.tif 000010